(57)【要約】【課題】  建物内に流出される気体の流動を瞬時的に調節することのできる簡単な構成で安価な開口開閉装置を提供すること。【解決手段】  開口開閉装置１は、建物内外２及び３を連通する開口４を画成する枠手段５と、開口４にＡ及びＢ方向に回動自在に配されていると共に開口４を開閉するＸ方向に伸びた中空の開閉部材６と、開閉部材６をＡ及びＢ方向に回動させる回動手段７と、開閉部材６よりも建物内２側で開閉部材６にＤ及びＥ方向に回転自在に支持されていると共に、回動手段７によりＡ及びＢ方向に回動される開閉部材６が開口開放位置から開口閉鎖位置までの間であって開口閉鎖位置を除く位置に配される際に建物外３から開口４に流入される気体８に基づいて、開口４を部分的に閉塞するＤ方向に回転される閉塞部材９と、閉塞部材９に加えられる気体８に基づくＤ方向に向かう回転力に抗するように閉塞部材９をＥ方向に付勢する付勢手段１０とを具備している。【選択図】図１
2005232938.tif 000002
【特許請求の範囲】
【請求項１】
建物内外を連通する開口を画成する枠手段と、開口に回動自在に配されていると共に開口を開閉する開閉部材と、この開閉部材を開口開放位置に向かう開口開放方向及び開口閉鎖位置に向かう開口閉鎖方向に回動させる回動手段と、開閉部材に回転自在に支持されていると共に建物外から開口に流入される気体に基づいて開口を閉塞する閉塞方向に回転される閉塞部材と、この閉塞部材に加えられる気体に基づく回転力に抗するように閉塞部材を閉塞方向とは逆の方向に付勢する付勢手段とを具備している開口開閉装置。
【請求項２】
閉塞部材は、開閉部材が開口開放位置に配されている際に気体に基づいて閉塞方向に回転されるようになっている請求項１に記載の開口開閉装置。
【請求項３】
閉塞部材は、閉塞方向に回転されることにより開口を部分的に閉塞するようになっている請求項１又は２に記載の開口開閉装置。
【請求項４】
閉塞部材は、板状体からなる請求項１から３のいずれか一項に記載の開口開閉装置。
【請求項５】
閉塞部材は、気体が通過する孔を有している請求項１から４のいずれか一項に記載の開口開閉装置。
【請求項６】
閉塞部材の一端は、開閉部材に回転自在に支持されており、閉塞部材の他端は、当該一端よりも開閉部材から離れて配されている請求項１から５のいずれか一項に記載の開口開閉装置。
【請求項７】
閉塞部材は、開閉部材が開口開放位置に配された際に当該開閉部材の建物内側に位置する端部に回転自在に支持されている請求項１から６のいずれか一項に記載の開口開閉装置。
【請求項８】
閉塞部材は、開閉部材の一方の面に対面する曲面を有している請求項１から７のいずれか一項に記載の開口開閉装置。
【請求項９】
付勢手段は、開閉部材に取り付けられている請求項１から８のいずれか一項に記載の開口開閉装置。
【請求項１０】
付勢手段は、閉塞部材を閉塞方向とは逆の方向に向かって付勢する押し力又は引き力を閉塞部材に対して発生する付勢部材を具備している請求項１から９のいずれか一項に記載の開口開閉装置。
【請求項１１】
付勢部材は、ばね、ゴム等の弾性体からなる請求項１０に記載の開口開閉装置。
【請求項１２】
付勢部材は、一端部で開閉部材に固定されていると共に他端部で閉塞部材に滑り接触している捩りコイルばねからなる請求項１０又は１１に記載の開口開閉装置。
【請求項１３】
付勢手段は、閉塞部材の回転軸心から離反して閉塞部材に取り付けられていると共に自重に基づいて閉塞部材に閉塞方向とは逆の方向の回転力を与える重錘を具備している請求項１から１２のいずれか一項に記載の開口開閉装置。
【請求項１４】
付勢手段は、一の方向の回転により閉塞部材を閉塞方向とは逆の方向に向かって押し付けることができるように開閉部材に回転自在に支持されている押し付け部材と、押し付け部材を一の方向に回転させるように弾性的に押圧する弾性押圧部材とを具備しており、押し付け部材は、押し付け部材の回転軸心から離反した部位で閉塞部材に滑り接触するようになっており、押し付け部材の回転軸心は、閉塞部材の回転軸心よりも建物内側に位置している請求項１から１３のいずれか一項に記載の開口開閉装置。
【請求項１５】
押し付け部材の回転軸心は、開閉部材が開口開放位置に配された際に閉塞部材の回転軸心よりも建物内側に位置している請求項１４に記載の開口開閉装置。
【請求項１６】
押し付け部材の回転軸心は、閉塞部材の回転軸心よりも建物内側に常に位置している請求項１４又は１５に記載の開口開閉装置。
【請求項１７】
押し付け部材は、閉塞部材に滑り接触しているその部位が、閉塞部材の閉塞方向の回転に基づく押し付け部材の他の方向への回転において閉塞部材の回転軸心から漸次離反するように配されている請求項１４から１６のいずれか一項に記載の開口開閉装置。
【請求項１８】
弾性押圧部材は、ばね又はゴムからなる請求項１４から１７のいずれか一項に記載の開口開閉装置。
【請求項１９】
回動手段は、回転力発生手段と、この回転力発生手段からの回転力を、開閉部材を開口開放方向及び開口閉鎖方向に回動させる回動力として当該開閉部材に伝達する伝達手段とを具備している請求項１から１８のいずれか一項に記載の開口開閉装置。
【請求項２０】
伝達手段は、開閉部材を開口開放方向及び開口閉鎖方向に回動させるように、開閉部材に連結している回転自在な回転自在部材と、回転力発生手段からの回転力により回転駆動される回転駆動部材と、回転力発生手段により回転駆動部材が一方の方向に回転駆動されることで開閉部材が開口開放方向に回動される一方、回転力発生手段により回転駆動部材が他方の方向に回転駆動されることで開閉部材が開口閉鎖方向に回動されるように、回転駆動部材の回転駆動による回転力を回転自在部材に伝達すべく、回転駆動部材及び回転自在部材の夫々に回転自在に連結されている連結部材とを具備しており、開閉部材が開口閉鎖位置に配される際に、連結部材の回転自在部材に対する回転軸心が、開閉部材の開口開放方向の回動力に起因して回転自在部材を介して生じる回転駆動部材の回転が他方の方向となるように、連結部材の回転駆動部材に対する回転軸心を中心とする当該連結部材の回転方向に関して、連結部材の回転駆動部材に対する回転軸心及び回転駆動部材の回転軸心を結ぶ線に対して一方側に位置している請求項１９に記載の開口開閉装置。
【請求項２１】
回転駆動部材の回転軸心から連結部材の回転駆動部材に対する回転軸心までの距離は、連結部材の回転駆動部材に対する回転軸心から連結部材の回転自在部材に対する回転軸心までの距離よりも長い請求項２０に記載の開口開閉装置。
【請求項２２】
回転自在部材の回転軸心から連結部材の回転自在部材に対する回転軸心までの距離は、連結部材の回転駆動部材に対する回転軸心から連結部材の回転自在部材に対する回転軸心までの距離よりも長い請求項２０又は２１に記載の開口開閉装置。
【請求項２３】
開閉部材は、当該開閉部材が開口閉鎖位置に配される際に、回転駆動部材及び連結部材のうちの少なくとも一方に当接して回転駆動部材の他方の方向の回転を禁止するようになっている請求項２０から２２のいずれか一項に記載の開口開閉装置。
【請求項２４】
回転力発生手段は、回転駆動部材に連結している電動モータを具備しており、この電動モータの出力回転軸の回転により回転駆動部材に回転力を生じさせることで、当該回転駆動部材から連結部材及び回転自在部材を介して開閉部材に開口開放方向及び開口閉鎖方向の回動力を与えるようになっている請求項２０から２３のいずれか一項に記載の開口開閉装置。
【発明の詳細な説明】
【技術分野】
【０００１】
本発明は、戸建住宅又は集合住宅等の建物において部屋上部等の開口（換気口）に取り付けられる換気装置や、建物における内倒し、外倒し若しくは突き上げ窓等に用いて好適な開口開閉装置に関する。
【背景技術】
【０００２】
【特許文献１】特開平１１−３３６４４３号公報
【０００３】
この種の開口開閉装置としては、例えば、開口を規定する枠（フレーム）内に当該開口を開閉するように配された開閉部材をウォームホイール機構を介して電動モータ等に連結し、電動モータ等の作動による回転力を、ウォームホイール機構を介して開閉部材に伝達することで当該開閉部材のみにより開口の開閉を行うようになっている開口開閉装置が特許文献１において提案されている。
【発明の開示】
【発明が解決しようとする課題】
【０００４】
ところで、斯かる開口開閉装置では、電動モータ等によって作動される開閉部材のみにより開口を開閉しているために、建物外から開口に流入される気体の流量、流速等の流動変化に応じて開口から建物内に流出される気体の流動を調節することが困難である一方、上記のような調節を行うべく電動モータ等を制御するためには気体の流動変化を検出する検出器や検出器による検出結果に基づいて電動モータ等を制御する制御装置等が必要となることから、装置が複雑化し高価となる虞がある。また、斯かる開口開閉装置では、前記検出器等を備えたとしても気体の流動変化に応じて開口から建物内に流出される気体の流動を瞬時的に調節することが困難である。尚、斯かる開口開閉装置に前記検出器等を更に装着することは、電気等のエネルギー消費の減少を図る観点から望ましくないものと考えられる。
【０００５】
本発明は、前記諸点に鑑みてなされたものであり、その目的とするところは、建物内に流出される気体の流動を瞬時的に調節することのできる簡単な構成で安価な開口開閉装置を提供することにある。
【課題を解決するための手段】
【０００６】
本発明の第一の態様の開口開閉装置は、建物内外を連通する開口を画成する枠手段と、開口に回動自在に配されていると共に開口を開閉する開閉部材と、この開閉部材を開口開放位置に向かう開口開放方向及び開口閉鎖位置に向かう開口閉鎖方向に回動させる回動手段と、開閉部材に回転自在に支持されていると共に建物外から開口に流入される気体に基づいて開口を閉塞する閉塞方向に回転される閉塞部材と、この閉塞部材に加えられる気体に基づく回転力に抗するように閉塞部材を閉塞方向とは逆の方向に付勢する付勢手段とを具備している。
【０００７】
第一の態様の開口開閉装置によれば、開口に配設された閉塞部材が建物外から開口に流入される気体に基づいて閉塞方向に回転されるために、建物内に流出される気体の流動を瞬時的に調節することができると共に、検出器等を設ける必要をなくすことができて、簡単な構成で安価な装置を提供することができ、また、開閉部材と閉塞部材とを一つの部材として取扱うことができて、施工性の向上を図り得、更に、簡単な構成にすることで設置スペースの縮小化をも図り得る。
【０００８】
本発明の第二の態様の開口開閉装置では、第一の態様の開口開閉装置において、閉塞部材は、開閉部材が開口開放位置に配されている際に気体に基づいて閉塞方向に回転されるようになっている。
【０００９】
本発明の第三の態様の開口開閉装置では、第一又は第二の態様の開口開閉装置において、閉塞部材は、閉塞方向に回転されることにより開口を部分的に閉塞するようになっている。
【００１０】
本発明の第四の態様の開口開閉装置では、第一から第三のいずれかの態様の開口開閉装置において、閉塞部材は、板状体からなる。
【００１１】
本発明の第五の態様の開口開閉装置では、第一から第四のいずれかの態様の開口開閉装置において、閉塞部材は、気体が通過する孔を有している。
【００１２】
本発明の第六の態様の開口開閉装置では、第一から第五のいずれかの態様の開口開閉装置において、閉塞部材の一端は、開閉部材に回転自在に支持されており、閉塞部材の他端は、当該一端よりも開閉部材から離れて配されている。
【００１３】
第六の態様の開口開閉装置によれば、上述の構成を具備しているために、閉塞部材の他端側で建物外から開口に流入される気体を受けやすくすることができ、而して、気体の流動調節をより確実に行い得る。
【００１４】
本発明の第七の態様の開口開閉装置では、第一から第六のいずれかの態様の開口開閉装置において、閉塞部材は、開閉部材が開口開放位置に配された際に当該開閉部材の建物内側に位置する端部に回転自在に支持されている。
【００１５】
本発明の第八の態様の開口開閉装置では、第一から第七のいずれかの態様の開口開閉装置において、閉塞部材は、開閉部材の一方の面に対面する曲面を有している。
【００１６】
本発明の第九の態様の開口開閉装置では、第一から第八のいずれかの態様の開口開閉装置において、付勢手段は、開閉部材に取り付けられている。
【００１７】
第九の態様の開口開閉装置によれば、上述の構成を具備しているために、開閉部材と閉塞部材と付勢手段とを一つの部材として取扱うことができて、施工性の向上を図り得る。
【００１８】
本発明の第十の態様の開口開閉装置では、第一から第九のいずれかの態様の開口開閉装置において、付勢手段は、閉塞部材を閉塞方向とは逆の方向に向かって付勢する押し力又は引き力を閉塞部材に対して発生する付勢部材を具備している。
【００１９】
本発明の第十一の態様の開口開閉装置では、第十の態様の開口開閉装置において、付勢部材は、ばね、ゴム等の弾性体からなる。
【００２０】
本発明の第十二の態様の開口開閉装置では、第十又は第十一の態様の開口開閉装置において、付勢部材は、一端部で開閉部材に固定されていると共に他端部で閉塞部材に滑り接触している捩りコイルばねからなる。
【００２１】
本発明の第十三の態様の開口開閉装置では、第一から第十二のいずれかの態様の開口開閉装置において、付勢手段は、閉塞部材の回転軸心から離反して閉塞部材に取り付けられていると共に自重に基づいて閉塞部材に閉塞方向とは逆の方向の回転力を与える重錘を具備している。
【００２２】
本発明の第十四の態様の開口開閉装置では、第一から第十三のいずれかの態様の開口開閉装置において、付勢手段は、一の方向の回転により閉塞部材を閉塞方向とは逆の方向に向かって押し付けることができるように開閉部材に回転自在に支持されている押し付け部材と、押し付け部材を一の方向に回転させるように弾性的に押圧する弾性押圧部材とを具備しており、押し付け部材は、押し付け部材の回転軸心から離反した部位で閉塞部材に滑り接触するようになっており、押し付け部材の回転軸心は、閉塞部材の回転軸心よりも建物内側に位置している。
【００２３】
本発明の第十五の態様の開口開閉装置では、第十四の態様の開口開閉装置において、押し付け部材の回転軸心は、開閉部材が開口開放位置に配された際に閉塞部材の回転軸心よりも建物内側に位置している。
【００２４】
本発明の第十六の態様の開口開閉装置では、第十四又は第十五の態様の開口開閉装置において、押し付け部材の回転軸心は、閉塞部材の回転軸心よりも建物内側に常に位置している。
【００２５】
本発明の第十七の態様の開口開閉装置では、第十四から第十六のいずれかの態様の開口開閉装置において、押し付け部材は、閉塞部材に滑り接触しているその部位が、閉塞部材の閉塞方向の回転に基づく押し付け部材の他の方向への回転において閉塞部材の回転軸心から漸次離反するように配されている。
【００２６】
本発明の第十八の態様の開口開閉装置では、第十四から第十七のいずれかの態様の開口開閉装置において、弾性押圧部材は、ばね又はゴムばねからなる。
【００２７】
第十四から第十八のいずれかの態様の開口開閉装置によれば、上述の構成を具備しているために、閉塞部材の閉塞方向への回転に応じて付勢手段による付勢力を漸増させることができる結果、閉塞部材による閉塞部分の漸増に伴って増大する傾向にある気体に基づく閉塞方向に向かう回転力に抗する閉塞方向とは逆の方向に向かう抗回転力を漸増させることができ、而して、閉塞部材により開口を好適に閉塞することができる。
【００２８】
本発明の第十九の態様の開口開閉装置では、第一から第十八のいずれかの態様の開口開閉装置において、回動手段は、回転力発生手段と、この回転力発生手段からの回転力を、開閉部材を開口開放方向及び開口閉鎖方向に回動させる回動力として当該開閉部材に伝達する伝達手段とを具備している。
【００２９】
本発明の第二十の態様の開口開閉装置では、第十九の態様の開口開閉装置において、伝達手段は、開閉部材を開口開放方向及び開口閉鎖方向に回動させるように、開閉部材に連結している回転自在な回転自在部材と、回転力発生手段からの回転力により回転駆動される回転駆動部材と、回転力発生手段により回転駆動部材が一方の方向に回転駆動されることで開閉部材が開口開放方向に回動される一方、回転力発生手段により回転駆動部材が他方の方向に回転駆動されることで開閉部材が開口閉鎖方向に回動されるように、回転駆動部材の回転駆動による回転力を回転自在部材に伝達すべく、回転駆動部材及び回転自在部材の夫々に回転自在に連結されている連結部材とを具備しており、開閉部材が開口閉鎖位置に配される際に、連結部材の回転自在部材に対する回転軸心が、開閉部材の開口開放方向の回動力に起因して回転自在部材を介して生じる回転駆動部材の回転が他方の方向となるように、連結部材の回転駆動部材に対する回転軸心を中心とする当該連結部材の回転方向に関して、連結部材の回転駆動部材に対する回転軸心及び回転駆動部材の回転軸心を結ぶ線に対して一方側に位置している。
【００３０】
第二十の態様の開口開閉装置によれば、上述の構成を具備しているために、回転駆動部材の一方及び他方の方向の回転駆動により連結部材及び回転自在部材を介して開閉部材を開口開放方向及び開口閉鎖方向に回動させることができる一方、開閉部材が開口閉鎖位置に配される際に、連結部材の回転自在部材に対する回転軸心を、開閉部材の開口開放方向の回動力に起因して回転自在部材を介して生じる回転駆動部材の回転が他方の方向となるように、連結部材の回転駆動部材に対する回転軸心を中心とする当該連結部材の回転方向に関して、連結部材の回転駆動部材に対する回転軸心及び回転駆動部材の回転軸心を結ぶ線に対して一方側に位置させることにより、開閉部材が開口閉鎖位置に配されている際に、回転駆動部材や連結部材を開閉部材等に当接させて、開閉部材の開口開放方向の回動力に起因して回転自在部材を介して生じる回転駆動部材の他方の方向の回転を禁止することができ、従って、ウォームホイール機構を用いなくても風等に起因する開閉部材の開口開放方向の回動を行わせないように当該開閉部材をセルフロックすることができて意図しない開口の開放を阻止でき、しかも、エネルギ損失を少なくできて且つ摺動音をそれ程発生させないで開口を開放及び閉鎖することができる。
【００３１】
本発明の第二十一の態様の開口開閉装置では、第二十の態様の開口開閉装置において、回転駆動部材の回転軸心から連結部材の回転駆動部材に対する回転軸心までの距離は、連結部材の回転駆動部材に対する回転軸心から連結部材の回転自在部材に対する回転軸心までの距離よりも長い。
【００３２】
本発明の第二十二の態様の開口開閉装置では、第二十又は第二十一の態様の開口開閉装置において、回転自在部材の回転軸心から連結部材の回転自在部材に対する回転軸心までの距離は、連結部材の回転駆動部材に対する回転軸心から連結部材の回転自在部材に対する回転軸心までの距離よりも長い。
【００３３】
本発明の第二十三の態様の開口開閉装置では、第二十から第二十二のいずれかの態様の開口開閉装置において、開閉部材は、当該開閉部材が開口閉鎖位置に配される際に、回転駆動部材及び連結部材のうちの少なくとも一方に当接して回転駆動部材の他方の方向の回転を禁止するようになっている。
【００３４】
本発明の第二十四の態様の開口開閉装置では、第二十から第二十三のいずれかの態様の開口開閉装置において、回転力発生手段は、回転駆動部材に連結している電動モータを具備しており、この電動モータの出力回転軸の回転により回転駆動部材に回転力を生じさせることで、当該回転駆動部材から連結部材及び回転自在部材を介して開閉部材に開口開放方向及び開口閉鎖方向の回動力を与えるようになっている。
【発明の効果】
【００３５】
本発明によれば、建物内に流出される気体の流動を瞬時的に調節することのできる簡単な構成で安価な開口開閉装置を提供し得る。
【発明を実施するための最良の形態】
【００３６】
次に、本発明の実施の形態の例を、図に示す好ましい例に基づいて更に詳細に説明する。尚、本発明はこれら例に何等限定されないのである。
【実施例】
【００３７】
図１から図６において、本例の換気装置としての開口開閉装置１は、建物内外２及び３を連通する開口４を画成する枠手段５と、開口４に開口開放方向、本例ではＡ方向及び開口閉鎖方向、本例ではＢ方向に回動（旋回）自在に配されていると共に開口４を開閉するＸ方向に伸びた中空の開閉部材６と、開閉部材６を開口開放位置に向かうＡ方向及び開口閉鎖位置に向かうＢ方向に回動させる回動手段７と、開閉部材６よりも建物内２側で開閉部材６にＤ及びＥ方向に回転自在に支持されていると共に、回動手段７によりＡ及びＢ方向に回動される開閉部材６が開口開放位置から開口閉鎖位置までの間であって開口閉鎖位置を除く位置に配される際に建物外３から開口４に流入される気体８に基づいて、開口４を部分的に閉塞する閉塞方向、本例ではＤ方向に回転される閉塞部材９と、閉塞部材９に加えられる気体８に基づくＤ方向に向かう回転力に抗するように閉塞部材９をＤ方向とは逆のＥ方向に付勢する付勢手段１０とを具備している。
【００３８】
枠手段５は、開口４を画成すべく、Ｘ方向に伸びた中空の上下壁１２及び１３と、上下壁１２及び１３の両端に固着されている側壁１４及び１５とを具備している。
【００３９】
上壁１２及び下壁１３には、側壁１４から側壁１５までＸ方向に伸びた弾性シール部材１６及び１７が夫々嵌着されている。
【００４０】
上壁１２及び下壁１３の夫々は、建物の貫通孔を間にして建物内壁に取り付けられており、開口４は、その一方の開口端１９において貫通孔を介して建物外３と連通していると共に、その他方の開口端２０において建物内２と連通している。尚、開口端１９及び２０には上下壁１２及び１３に支持されて防塵用金網（図示せず）が夫々設けられていてもよい。
【００４１】
回動手段７は、回転力発生手段としての電動モータ４１と、電動モータ４１からの回転力を、開閉部材６をＡ及びＢ方向に回動させる回動力として当該開閉部材６に伝達する伝達手段４２とを具備している。
【００４２】
伝達手段４２は、回転軸心Ｃ４を中心とするＡ１及びＢ１方向の回転により開閉部材６を回転軸心Ｃ４の周りでＡ及びＢ方向に回動させるように、開閉部材６に連結しているＡ１及びＢ１方向に回転自在な回転自在部材としての回転自在アーム４３と、電動モータ４１からの回転力により回転軸心Ｃ３を中心としてＲ１及びＲ２方向に回転駆動される回転駆動部材としての回転駆動アーム４４と、電動モータ４１により回転駆動アーム４４がＲ１方向に回転駆動されることで開閉部材６がＡ方向に回動される一方、電動モータ４１により回転駆動アーム４４がＲ２方向に回転駆動されることで開閉部材６がＢ方向に回動されるように、回転駆動アーム４４の回転駆動による回転力を回転自在アーム４３に伝達すべく、回転駆動アーム４４及び回転自在アーム４３の夫々に回転自在に連結されている連結部材としての連結アーム４５と、開閉部材６が図５に示すように開口開放位置に配される際に、開閉部材６に当接して回転駆動アーム４４のＲ１方向の回転を禁止するストッパ３４とを具備している。
【００４３】
回転自在アーム４３は、Ｘ方向に関して連結アーム４５よりも側壁１４側に配されており、連結アーム４５は、Ｘ方向に関して回転駆動アーム４４よりも側壁１４側に配されている。
【００４４】
回転自在アーム４３は、小端部３１で軸２７を介して側壁１４に回転軸心Ｃ４を中心として回転自在となるように支持されていると共に、大端部３２で中空本体２４の他端を閉塞するように当該中空本体２４の他端に着脱自在に取り付けられている扇形本体３３と、電動モータ４１の出力回転軸４１ａに干渉しないように扇形本体３３の下端縁に設けられた凹状部３７とを具備しており、小端部３１及び大端部３２間で連結アーム４５に軸ピン３５を介して回転自在に連結されている。斯かる回転自在アーム４３は、回転駆動アーム４４の回転駆動による回転力が連結アーム４５を介して与えられることによって回転軸心Ｃ４を中心としてＡ１及びＢ１方向に回転されるようになっている。
【００４５】
回転駆動アーム４４は、その一端部で電動モータ４１の出力回転軸４１ａに連結されており、その他端部で連結アーム４５に連結されている。回転駆動アーム４４は、電動モータ４１の出力回転軸４１ａの回転により回転軸心Ｃ３を中心としてＲ１及びＲ２方向に回転駆動されるようになっている。
【００４６】
連結アーム４５は、その一端部で回転駆動アーム４４に軸ピン３８を介して回転軸心Ｃ２を中心として回転自在に連結されており、その他端部で回転自在アーム４３に軸ピン３５を介して回転軸心Ｃ１を中心として回転自在に連結されている。
【００４７】
回転軸心Ｃ３から回転軸心Ｃ２までの距離は、本例では、回転軸心Ｃ２から回転軸心Ｃ１までの距離及び回転軸心Ｃ４から回転軸心Ｃ１までの距離よりも長く、また、回転軸心Ｃ４から回転軸心Ｃ１までの距離は、回転軸心Ｃ２から回転軸心Ｃ１までの距離よりも長い。
【００４８】
ストッパ３４は、本例では、開閉部材６が開口開放位置に配される際に開閉部材６に当接して当該開閉部材６のＡ方向の回動を禁止するように、側壁１５に固定されている。
【００４９】
電動モータ４１は、その出力回転軸４１ａで回転駆動アーム４４に連結しており、当該出力回転軸４１ａの回転により回転駆動アーム４４にＲ１及びＲ２方向の回転力を生じさせることで、回転駆動アーム４４から連結アーム４５及び回転自在アーム４３を介して開閉部材６にＡ及びＢ方向の回動力を与えるようになっている。出力回転軸４１ａの先端は、下壁１３に固定された支持部材３６に回転自在に支持されている。
【００５０】
開閉部材６は、Ｘ方向に直交するＹ方向で互いに対向する凸曲面２２及び凹曲面２３を外面に有しているＸ方向に伸びた中空本体２４と、中空本体２４のＸ方向における一端を閉塞している側板２５とを具備しており、中空本体２４のＸ方向における他端は回転自在アーム４３が着脱自在に取り付けられることで閉塞されている。
【００５１】
中空本体２４は、開閉部材６が図３に示すように開口閉鎖位置に配されている場合には、その上端部２９の建物外３側の部位で弾性シール部材１６に、その下端部３０の建物内２側の部位で弾性シール部材１７に夫々当接すると共に、凸曲面２２が建物外３側に、凹曲面２３が建物内２側に位置するように、開口４に配されている。中空本体２４の上端部２９は、開閉部材６が図５に示すように開口開放位置に配された際に当該開閉部材６の建物内２側に位置するようになっている。中空本体２４の上端部２９には、閉塞部材９が回転自在に取り付けられている。尚、開口４は、中空本体２４の上端部２９及び下端部３０が弾性シール部材１６及び１７に夫々当接することにより閉鎖される。側板２５は、本例では、回転自在アーム４３と同様に形成されており、回転軸心Ｃ４を中心としてＡ１及びＢ１方向に回転自在となるように、側壁１５に軸２６を介して支持されている。
【００５２】
閉塞部材９は、Ｘ方向に伸びた板状体４６と、板状体４６の一端４７に配されていると共に開閉部材６に回転軸心Ｃ５を中心としてＤ及びＥ方向に回転自在に支持されている被支持部４８とを具備している。
【００５３】
板状体４６は、Ｙ方向で互いに対向する凸曲面４９及び凹曲面５０を有しており、凸曲面４９は、開閉部材６の凹曲面２３に対面している。板状体４６の他端５１は、一端４７よりも開閉部材６から離れて配されている。
【００５４】
被支持部４８は、本例では、開閉部材６の上端部２９に滑動自在に嵌着されているＸ方向に伸びた円柱状体５２からなる。
【００５５】
以上の閉塞部材９は、開閉部材６が開口開放位置に配されている際に開口端１９から開口４に流入された気体８のうち開閉部材６及び閉塞部材９間に流れ込んだ気体８の圧力等によってＤ方向への回転力が加えられ、斯かる回転力が付勢手段１０によるＥ方向への付勢力を上回った場合に、Ｄ方向に回転される一方、前記回転力が付勢力を下回った場合に、Ｅ方向に回転されるようになっている。閉塞部材９は、前記Ｄ方向の回転により開口端２０側において開口４を部分的に漸次閉塞するようになっている一方、前記Ｅ方向の回転により開口４の部分的な閉塞を漸次解除するようになっている。閉塞部材９は、開口４に流入された気体８に基づいてＤ方向に回転されるようになっているために、例えば、開口端１９から開口４に強風が吹き込んだ場合には、瞬時的に開口２０を部分的に閉塞し得る。閉塞部材９は、付勢手段１０によりＥ方向に向かって付勢されているために、開口４に吹き込んだ風の強弱に応じて開口４の閉塞領域の広狭を瞬時的に調節することができる。
【００５６】
付勢手段１０は、回転により閉塞部材９をＥ方向に向かって押し付けることができるように開閉部材６の上端部２９に回転軸心Ｃ６を中心としてＧ及びＨ方向に回転自在に支持されている押し付け部材５３と、押し付け部材５３をＧ方向に回転させるように弾性的に押圧する弾性押圧部材５４とを具備している。
【００５７】
押し付け部材５３は、Ｘ方向に伸びた略円柱状部５５と、略円柱状部５５の一端に一体的に形成されている突出部５６とを具備している。
【００５８】
略円柱状部５５は、開閉部材６の上端部２９に取り付けられたＸ方向に伸びた略円筒状部材５７の内部空間に挿入されてＧ及びＨ方向に回転自在に装着されている。
【００５９】
突出部５６は、回転軸心Ｃ５及びＣ６の夫々から離反した先端部位５８で閉塞部材９に滑り接触するように閉塞部材９に向かって伸びている。先端部位５８は、押し付け部材５３が閉塞部材９のＤ方向の回転に基づいてＨ方向に回転されることにより閉塞部材９の回転軸心Ｃ５から漸次離反するようになっている。付勢手段１０は、先端部位５８が閉塞部材９のＤ方向の回転に基づく押し付け部材５３のＨ方向への回転において閉塞部材９の回転軸心Ｃ５から漸次離反するように配されているために、弾性押圧部材５４による押圧力を調節しない場合においても、閉塞部材９のＤ方向への回転に応じて付勢手段１０による付勢力を漸増させることができる結果、閉塞部材９による閉塞部分の漸増に伴って増大する傾向にある気体８に基づくＤ方向に向かう回転力に抗するＥ方向に向かう抗回転力を漸増させることができる。
【００６０】
押し付け部材５３の回転軸心Ｃ６は、開閉部材６が開口開放位置に配された際に、Ｙ方向に関して閉塞部材９の回転軸心Ｃ５よりも建物内２側に位置していると共にＸ及びＹ方向に直交するＺ方向に関して回転軸心Ｃ５よりも下方に位置している一方、開閉部材６が開口閉鎖位置に配された際に、Ｙ方向に関して開閉部材６の回転軸心Ｃ５よりも建物内２側に位置していると共にＺ方向に関して回転軸心Ｃ５よりも上方に位置している。回転軸心Ｃ６は、本例では、Ｙ方向に関して回転軸心Ｃ５よりも建物内２側に常に位置している。
【００６１】
弾性押圧部材５４は、一端で開閉部材６に他端で略円柱状部５５に着脱自在に取り付けられていると共に略円柱状部５５に巻き回されているコイルばね、本例では捩りコイルばね５９を具備している。捩りコイルばね５９の弾性力は、気体８に基づく閉塞部材９のＤ方向への回転力との関係において適宜調節することができるようになっているのが好ましい。
【００６２】
本例の開口開閉装置１は、電動モータ４１の出力回転軸４１ａの回転により回転駆動アーム４４をＲ１方向に回転駆動させ、この回転駆動による回転力を当該回転駆動により回転軸心Ｃ２を中心としてＲ３方向に回転される連結アーム１０を介して回転自在アーム４３に伝達し、この伝達した回転力により回転自在アーム４３をＡ１方向に回転させることで当該回転自在アーム４３に連結されている開閉部材６をＡ方向に回動させて、図４に示す状態を経て、図５に示すように、開閉部材６を開口開放位置に配するようになっており、また、電動モータ４１の出力回転軸４１ａの回転により回転駆動アーム４４をＲ２方向に回転駆動させ、この回転駆動による回転力を当該回転駆動により回転軸心Ｃ２を中心としてＲ４方向に回転される連結アーム４５を介して回転自在アーム４３に伝達し、この伝達した回転力により回転自在アーム４３をＢ１方向に回転させることで当該回転自在アーム４３に連結されている開閉部材６をＢ方向に回動させて、図４に示す状態を経て、図３に示すように、開閉部材６を開口閉鎖位置に配すると共に回転軸心Ｃ１を線Ｆに対してＲ４方向側に位置させるようになっている。開口開閉装置１は、図３に示すように、開閉部材６が開口閉鎖位置に配される際に、連結アーム４５の回転自在アーム４３に対する回転軸心Ｃ１が、連結アーム４５の回転駆動アーム４４に対する回転軸心Ｃ２を中心とする当該連結アーム４５の回転方向であるＲ３及びＲ４方向に関して、回転軸心Ｃ２及び回転駆動アーム４４の回転軸心Ｃ３を結ぶ線Ｆに対してＲ４方向側に位置しているので、回転駆動アーム４４が風等による開閉部材６のＡ方向の回動力に起因して回転自在アーム４３を介してＲ２方向に微少に回転されると、当該回転駆動アーム４４の他端部が中空本体２４の上端部２９の建物内２側の部位に当接し、当該当接により回転駆動アーム４４のＲ２方向の回転が禁止される。尚、連結アーム４５の一端部は回転駆動アーム４４の開閉部材６への当接と共に、当該開閉部材６に当接する。
【００６３】
以上の開口開閉装置１によれば、建物内外２及び３を連通する開口４を画成する枠手段５と、開口４に回動自在に配されていると共に開口４を開閉する開閉部材６と、開閉部材６を開口開放位置に向かうＡ方向及び開口閉鎖位置に向かうＢ方向に回動させる回動手段７と、開閉部材６に回転自在に支持されていると共に建物外３から開口４に流入される気体８に基づいて開口４を閉塞するＤ方向に回転される閉塞部材９と、閉塞部材９に加えられる気体８に基づく回転力に抗するように閉塞部材９をＤ方向とは逆のＥ方向に付勢する付勢手段１０とを具備しているために、開口４に配設された閉塞部材９が建物外３から開口４に流入される気体８に基づいてＤ方向に回転されるために、建物内２に流出される気体８の流動を瞬時的に調節することができると共に、検出器等を設ける必要をなくすことができて、簡単な構成で安価な装置を提供することができ、また、開閉部材６と閉塞部材９とを一つの部材として取扱うことができて、施工性の向上を図り得、更に、簡単な構成にすることで設置スペースの縮小化をも図り得る。
【００６４】
開口開閉装置１によれば、閉塞部材９の一端４７が、開閉部材６に回転自在に支持されており、閉塞部材９の他端５１が、当該一端４７よりも開閉部材６から離れて配されているために、閉塞部材９の他端５１側で建物外３から開口４に流入される気体８を受けやすくすることができ、而して、気体８の流動調節をより確実に行い得る。
【００６５】
開口開閉装置１によれば、付勢手段１０が、開閉部材６に取り付けられているために、開閉部材６と閉塞部材９と付勢手段１０とを一つの部材として取扱うことができて、施工性の向上を図り得る。
【００６６】
開口開閉装置１によれば、付勢手段１０が、Ｇ方向の回転により閉塞部材９をＥ方向に向かって押し付けることができるように開閉部材６に回転自在に支持されている押し付け部材５３と、押し付け部材５３をＧ方向に回転させるように弾性的に押圧する弾性押圧部材５４とを具備しており、押し付け部材５３が、押し付け部材５３の回転軸心Ｃ６から離反した先端部位５８で閉塞部材９に滑り接触するようになっており、押し付け部材５３の回転軸心Ｃ６が、閉塞部材９の回転軸心Ｃ５よりも建物内２側に位置しているために、閉塞部材９のＤ方向への回転に応じて付勢手段１０による付勢力を漸増させることができる結果、閉塞部材９による閉塞部分の漸増に伴って増大する傾向にある気体８に基づくＤ方向に向かう回転力に抗するＥ方向に向かう抗回転力を漸増させることができ、而して、閉塞部材９により開口４を好適に閉塞することができる。
【００６７】
開口開閉装置１によれば、伝達手段４２が、開閉部材６をＡ方向及びＢ方向に回動させるように、開閉部材６に連結している回転自在な回転自在アーム４３と、電動モータ４１からの回転力により回転駆動される回転駆動アーム４４と、電動モータ４１により回転駆動アーム４４がＡ１方向に回転駆動されることで開閉部材６がＡ方向に回動される一方、電動モータ４１により回転駆動アーム４４がＢ１方向に回転駆動されることで開閉部材６がＢ方向に回動されるように、回転駆動アーム４４の回転駆動による回転力を回転自在アーム４３に伝達すべく、回転駆動アーム４４及び回転自在アーム４３の夫々に回転自在に連結されている連結アーム４５とを具備しており、開閉部材６が開口閉鎖位置に配される際に、連結アーム４５の回転自在アーム４３に対する回転軸心Ｃ１が、開閉部材６のＡ方向の回動力に起因して回転自在アーム４３を介して生じる回転駆動アーム４４の回転がＲ２方向となるように、連結アーム４５の回転駆動アーム４４に対する回転軸心Ｃ２を中心とする当該連結アーム４５の回転するＲ３及びＲ４方向に関して、連結アーム４５の回転駆動アーム４４に対する回転軸心Ｃ１及び回転駆動アーム４４の回転軸心Ｃ３を結ぶ線Ｆに対してＲ４方向側に位置しているために、回転駆動アーム４４Ｒ１及びＲ２方向の回転駆動により連結アーム４５及び回転自在アーム４３を介して開閉部材６をＡ方向及びＢ方向に回動させることができる一方、開閉部材６が開口閉鎖位置に配される際に、連結アーム４５の回転自在アーム４３に対する回転軸心Ｃ１を、開閉部材６のＡ方向の回動力に起因して回転自在アーム４３を介して生じる回転駆動アーム４４の回転がＲ２方向となるように、連結アーム４５の回転駆動アーム４４に対する回転軸心Ｃ２を中心とする当該連結アーム４５の回転するＲ３及びＲ４方向に関して、連結アーム４５の回転駆動アーム４４に対する回転軸心Ｃ２及び回転駆動アーム４４の回転軸心Ｃ３を結ぶ線Ｆに対してＲ４方向側に位置させることにより、開閉部材６が開口閉鎖位置に配されている際に、回転駆動アーム４４や連結アーム４５を開閉部材６等に当接させて、開閉部材６のＡ方向の回動力に起因して回転自在アーム４３を介して生じる回転駆動アーム４４のＲ３方向の回転を禁止することができ、従って、ウォームホイール機構を用いなくても風等に起因する開閉部材６のＡ方向の回動を行わせないように当該開閉部材６をセルフロックすることができて意図しない開口の開放を阻止でき、しかも、エネルギ損失を少なくできて且つ摺動音をそれ程発生させないで開口を開放及び閉鎖することができる。
【００６８】
尚、開口開閉装置１は、閉塞部材９に代えて、気体８が通過する複数の孔（図示せず）を有した閉塞部材を具備していてもよく、斯かる閉塞部材は、網状であってもよい。また、開口開閉装置１は、弾性押圧部材５４に代えて又は加えて、ばね、ゴム等からなる弾性押圧部材を具備していてもよい。更に、開口開閉装置１は、捩りコイルばね５９に代えて、一端で開閉部材６に固定されていると共に他端で押し付け部材５３に接触している板ばねを具備していてもよく、一端で開閉部材６に固定されていると共に他端で閉塞部材９に着脱自在に取り付けられている板ばね又はコイルばねを具備していてもよい。更にまた、開口開閉装置１では、回転力発生手段として電動モータ４１を具備しているが、これに代えて、例えば、回転駆動アーム４４の一端部に取り付けられた手動操作可能な操作アームを具備していてもよい。
【００６９】
また、開口開閉装置１の付勢手段１０は、押し付け部材５３及び弾性押圧部材５４に代えて又は加えて、閉塞部材９をＥ方向に向かって付勢する押し力又は引き力を閉塞部材９に対して発生するばね、ゴム等の弾性体からなる付勢部材を具備していてもよく、斯かる付勢部材は、例えば一端部で開閉部材６に固定されていると共に他端部で閉塞部材９に滑り接触している捩りコイルばねからなっていてもよい。また、開口開閉装置１の付勢手段１０は、押し付け部材５３及び弾性押圧部材５４や前記付勢部材に代えて又は加えて、閉塞部材９の回転軸心Ｃ５から離反して閉塞部材９に取り付けられていると共に自重に基づいて閉塞部材９にＥ方向の回転力を与える重錘を具備していてもよく、斯かる重錘は、開閉部材６が開口開放位置に配されている際には、回転軸心Ｃ５よりも建物内２側に配されるように閉塞部材９に取り付けられていてもよい。
【００７０】
更にまた、開口開閉装置１は、本例では、建物壁に横向きに設置されているが、例えば、建物壁に縦向きに設置されていてもよい。
【図面の簡単な説明】
【００７１】
【図１】本発明の実施の形態の例の全体説明図である。
【図２】図１に示す例の主に閉塞部材の斜視説明図である。
【図３】図１に示す例のＩＩＩ−ＩＩＩ線断面説明図である。
【図４】図１に示す例の動作説明図である。
【図５】図１に示す例の動作説明図である。
【図６】図１に示す例の動作説明図である。
【符号の説明】
【００７２】
１  開口開閉装置
４  開口
５  枠手段
６  開閉部材
７  回動手段
８  気体
９  閉塞部材
１０  付勢手段
【図１】
2005232938.tif 000003
【図２】
2005232938.tif 000004
【図３】
2005232938.tif 000005
【図４】
2005232938.tif 000006
【図５】
2005232938.tif 000007
【図６】
2005232938.tif 000008